(57)【要約】【課題】市街地の周辺地図板を利用するユーザの利便を図ることができる街角地図システムを提供することを目的とする。【解決手段】ユーザが広域地図に触れることで表示部４により拡大表示され、ユーザが検索フィールドに住所や建物名を入力することで、入力部２が住所や建物名を認識し、地図データ記憶装置３で該当するデータを表示部４で表示する。【選択図】　　　　図１
2004053695.tif 000002
【特許請求の範囲】
【請求項１】
液晶表示装置、地図データ記憶装置、印刷装置、課金装置、有線あるいは無線接続のインターフェースを備え、前記地図データ記憶装置に蓄えられている地図を前記液晶表示装置に表示することができるシステムにおいて、
タッチパネルやポインティングデバイスなどの入力装置を備え、地図上の位置を指定することが可能であることを特徴とする街角地図システム。
【請求項２】
前記液晶表示装置は、指定された地図上の位置までの行き方を表示することができることを特徴とする請求項１記載の街角地図システム。
【請求項３】
前記印刷装置は、表示指定先までの行き方を、印刷装置を使って印刷することができることを特徴とする請求項１または２記載の街角地図システム。
【請求項４】
前記有線インターフェースは、指定された地図上の位置までの行き方を有線接続のインターフェースを使ってダウンロードすることができることを特徴とする請求項１または２記載の街角地図システム。
【請求項５】
前記無線接続インターフェースは、指定された地図上の位置までの行き方を、無線接続のインターフェースを使ってダウンロードすることができることを特徴とする請求項１または２記載の街角地図システム。
【請求項６】
前記課金装置は、印刷や有線あるいは無線接続インターフェースを使用した時に、所定の料金を徴収することができることを特徴とする請求項１から５のいずれか１項に記載の街角地図システム。
【発明の詳細な説明】
【０００１】
【発明の属する技術分野】
本発明の街角地図システムに関し、特に、液晶表示装置を設けた地図データの表示や印刷、携帯情報端末へのダウンロード、行き先案内サービスと、その地図データの更新を行う街角地図システムに関する。
【０００２】
【従来の技術】
従来、市街地などにある周辺地図板は、板（鉄板等）の上に直接描かれたものである。
また、従来の地図表示システムにおいて、以下のような従来技術が開示されている。
特開平５−３０７３５５号公報の「地図表示装置」は、自動的に最適な表示範囲を計算して画面に表示する方法を示したものである。
特開平６−２２９７７３号公報の「地図表示装置」は、液晶表示装置の下にあらかじめ印刷された地図シートを有する構造で、地図シートと画像データを重ね合わせるものである。
特開平７−０２８４０２号公報の「地図表示装置」は、通常の地図（紙に印刷されているのも）の上に画像データを重ね合わせて、ナビゲーションシステムとして機能させるというものである。
特開平１０−１８８７０４号公報の「携帯情報端末及びこれを用いた情報収集システム」は、携帯端末を使って基地局を越えて移動する時の案内について記述したものである。
【０００３】
【発明が解決しようとする課題】
市街地などにある周辺地図板は、板（鉄板等）の上に直接描かれたもので、非常に情報量が少ない。区画整備や建物の建て替え等で地図が変わった場合は、地図版そのものを作り変えなければならない。また、携帯情報端末等に表示できる地図に比べて図面のサイズは大きいが、公共物であることと、重量及びサイズの問題で持ち運びができない。
本発明は係る問題に鑑みてなされたものであり、市街地の周辺地図版を利用するユーザの利便を図ることを目的とする。
【０００４】
【課題を解決するための手段】
上記目的を達成するために、請求項１記載の街角地図システムは、液晶表示装置、地図データ記憶装置、印刷装置、課金装置、有線あるいは無線接続のインターフェースを備え、地図データ記憶装置に蓄えられている地図を液晶表示装置に表示することができるシステムにおいて、タッチパネルやポインティングデバイスなどの入力装置を備え、地図上の位置を指定することが可能であることを特徴とする。
【０００５】
請求項２記載の街角地図システムは、指定された地図上の位置までの行き方を表示することができることを特徴とする。
【０００６】
請求項３記載の街角地図システムは、表示された行き方を、印刷装置を使って印刷することができることを特徴とする。
【０００７】
請求項４記載の街角地図システムは、指定された地図上の位置までの行き先を有線接続のインターフェースを使ってダウンロードすることができることを特徴とする。
【０００８】
請求項５記載の街角地図システムは、指定された地図上の位置までの行き先を、無線接続のインターフェースを使ってダウンロードすることができることを特徴とする。
【０００９】
請求項６記載の街角地図システムは、印刷や有線あるいは無線接続インターフェースを使用した時に、所定の料金を徴収することができることを特徴とする。
【００１０】
【発明の実施の形態】
図１は街角地図システムの構成を示したブロック図である。
街角地図システムは、制御部１と入力部２、地図データ記憶装置３、表示部４、課金部５、印刷部６、有線接続インターフェース７、有線ネットワークインターフェース８、無線接続インターフェース９から構成されている。
図２は、街角地図システムを備えた周辺地図板を示した図である。
この周辺地図板は、街角地図板１０と液晶表示装置１１、内蔵されている地図データ記憶装置３から構成されている。
【００１１】
図３は、ユーザが広域地図に触れることにより、その位置周辺が拡大表示される様子を示した図である。
通常時は、扱う地図の範囲全体を表示する広域地図を表示しておき、ユーザが地図上の特定の位置を触ると、その位置周辺の地図を拡大表示する。
【００１２】
図４は、現在地から入力された地点までのルートの表示を示した図である。
検索フィールドに住所や建物名を入力して検索ボタンを押すと、現在表示されている図面上で、現在地から入力された地点までのルートを表示する。検索フィールドへの入力方法は、画面上にキーボードを表示して、それを使って入力する方法や、手書きペン入力された文字を認識する方法などがある。
【００１３】
図５は、印刷装置と課金装置を設けた街角地図板を示した図である。
本発明に印刷装置１２を取り付けることにより、ユーザは画面に表示されている地図を紙に印刷することができる。印刷装置１２に付属の印刷ボタンを押すか、または画面上に表示される印刷ボタンを押すことにより、印刷装置１２から紙に印刷された地図を取得することができる。
【００１４】
この際に、１枚の地図を印刷するごとに課金を行う。課金装置１３は街角地図板１０と接続されており、所定の料金を課金装置１３に入れることにより印刷が可能となる。
【００１５】
図５は、有線接続インターフェースを設けた街角地図板を示した図である。
また、印刷装置１２による紙への出力だけでなく、有線接続インターフェース８を取り付けることにより、ユーザが所有する携帯情報端末への地図データダウンロードも可能となる。有線接続インターフェース８の種類は、ＲＳ２３２ＣやＵＳＢ等、どのようなものでもよい。地図情報をユーザは街角地図板１０を操作して液晶表示装置１１に表示させ、有線接続インターフェース８と自身が所有する携帯情報端末を接続し、表示されている地図情報をダウンロードする。
【００１６】
この際に、１つの地図データをダウンロードするごとに課金を行う。課金装置１３は街角地図板１０と接続されており、所定の料金を課金装置１３に入れることによりダウンロードが可能となる。
【００１７】
図６は、無線接続インターフェースを設けた街角地図板を示した図である。
有線に限らず、無線を使った場合も同様に地図情報のダウンロードが可能である。無線接続インターフェース９を取り付けることにより、ユーザが所有する携帯情報端末への地図データのダウンロードも可能となる。無線接続インターフェース９の種類は、ＩＥＥＥ８０２．１１ａ／ｂやｂｌｕｅｔｏｏｔｈ等、どのようなものでもよい。ユーザは街角地図板１０を操作して地図情報を液晶表示装置１１に表示させ、無線接続インターフェース９と自身が所有する携帯情報端末を接続し、表示されている地図情報をダウンロードする。
【００１８】
図８は、ユーザが印刷モード、検索モード、ダウンロードモードをそれぞれ選択した場合の処理を示したフローチャートである。
ユーザの入力待ち状態になっている入力待ち画面から（ステップＳ１）、ユーザが印刷モードか検索モード、ダウンロードのどれかを選択する（ステップＳ２）。
印刷モードを選択した場合、ユーザは枚数などを入力し（ステップ２）、所定の料金を課金装置１３入れることで課金し（ステップＳ４）、印刷実行する（ステップＳ５）。
検索モードを選択する場合、入力部２で住所や建物名を入力する（ステップＳ６）。地図データ記憶装置３から検索したいデータを呼び出し（ステップＳ７）、表示部４によって検索結果を表示する（ステップＳ８）。
ダウンロードを選択する場合、ユーザが有線接続インターフェース８か無線インターフェース９のどちらを使用するか選択する（ステップＳ９）。有線モードを選択する場合、ユーザの携帯端末を街角地図システムの有線接続インターフェース８に接続する（ステップＳ１０）。さらにダウンロードする際に必要な所定の料金を課金装置１３に入れることで課金し（ステップＳ１１）、ダウンロードを開始する（ステップＳ１２）。
無線モードを選択する場合、ユーザの携帯端末を無線接続インターフェース９に接続する（ステップＳ１３）。さらに、ダウンロードする際に必要な所定の料金を課金装置１３に入れることで課金し（ステップＳ１４）、ダウンロードを開始する（ステップＳ１５）。
【００１９】
【発明の効果】
以上の説明から明らかなように、請求項１記載の発明は、何らかの入力装置を備えることにより、システムにおけるユーザの利用範囲を拡張するために役に立つ。
【００２０】
請求項２記載の発明は、現在地から任意の目的地までの行き先を案内することができるため、ユーザの多様な用途・目的に対応することができる。
【００２１】
請求項３記載の発明は、表示された地図データを印刷することができるため、その印刷データを元にユーザが目的地へ到達しやすくなる。
【００２２】
請求項４記載の発明は、ユーザに対して地図情報ダウンロード用のインターフェースを提供しているので、ユーザが地図板に表示されている地図データを携帯情報端末などにダウンロードすることができ、容易に目的地に到達することができる。
【００２３】
請求項５記載の発明は、有線インターフェースを利用することでユーザが所有する携帯情報端末に地図データをダウンロードすることができる。
【００２４】
請求項６記載の発明は、課金装置を利用することで、本システムは地図情報の印刷やダウンロードの際に課金することが可能となり、資金を得ることにより、さらに多様なサービスをユーザに提供することが可能となる。
【図面の簡単な説明】
【図１】本発明の実施形態における街角地図システムの構成を示したブロック図である。
【図２】本発明の実施形態における街角地図システムを備えた周辺地図板の構成を示した図である。
【図３】本発明の実施形態におけるユーザが広域地図に触れることにより、その位置周辺が拡大表示される様子を示した図である。
【図４】本発明の実施形態における現在地から入力された地点までのルートの表示を示した図である。
【図５】本発明の実施形態における印刷装置と課金装置を設けた街角地図板を示した図である。
【図６】本発明の実施形態における有線接続インターフェースを設けた街角地図板を示した図である。
【図７】本発明の実施形態における無線接続インターフェースを設けた街角地図板を示した図である。
【図８】本発明の実施形態におけるユーザが印刷モード、検索モード、ダウンロードモードを選択した場合の各処理を示したフローチャートである。
【符号の説明】
１　街角地図板
２　液晶表示装置
３　地図データ記憶装置
４　印刷装置
５　課金装置
６　有線ネットワークインターフェース
７　有線接続インターフェース
８　無線接続インターフェース
【図１】
2004053695.tif 000003
【図２】
2004053695.tif 000004
【図３】
2004053695.tif 000005
【図４】
2004053695.tif 000006
【図５】
2004053695.tif 000007
【図６】
2004053695.tif 000008
【図７】
2004053695.tif 000009
【図８】
2004053695.tif 000010